(57)【要約】【課題】作業腕の先端に取付ける作業装置に作動油を、簡単な部品構成および容易な組立で供給することができる油圧ショベルを提供する。【解決手段】油圧ショベルが、作業腕（１６）の先端に取付けられる作業装置を揺動作動させる油圧シリンダ（２２）と、この油圧シリンダに接続された作動油給排用の一対の油圧ホース（２４ａ、２４ｂ）と、この油圧シリンダの近傍に取付けられた一対の油圧配管（２６ａ、２６ｂ）を備え、この油圧配管の各々が、一端に上記一対の油圧ホースを油圧シリンダから外して接続することができる接続部（Ａ１、Ａ２）を備え、作業腕（１６）の先端に向けて延びた他端に作動油給排用の接続部（Ｂ１、Ｂ２）を備えている。【選択図】図１
2009209538.tif 000002
【特許請求の範囲】
【請求項１】
作業腕の先端に取付けられる作業装置を揺動作動させる油圧シリンダと、
この油圧シリンダに接続された作動油給排用の一対の油圧ホースと、
油圧シリンダの近傍に取付けられた一対の油圧配管と、を備え、
該油圧配管の各々が、一端に上記の一対の油圧ホースを油圧シリンダから外して接続することができる接続部を備え、作業腕の先端に向けて延びた他端に作動油給排用の接続部を備えている、
ことを特徴とする油圧ショベル。
【発明の詳細な説明】
【技術分野】
【０００１】
本発明は、油圧ショベル、さらに詳しくは作業腕の先端に取付けられる作業装置に作動油を、安価で設置容易な構成で、供給できる油圧ショベルに関する。
【背景技術】
【０００２】
汎用作業機である油圧ショベルの作業腕の先端には、標準的に取付けられる作業装置のバケットに代えて、作業に応じて、例えば把持装置、プロセッサ、グラブバケットなどの種々の作業装置が適宜に取付けられる。
【０００３】
これらの作業装置の多くは、油圧アクチュエータを装備しているので、作業装置を取付ける際には、作動油を供給するための、機体本体の油圧源から作業腕に沿って作動油供給用の専用の配管が取付けられる（例えば、特許文献１参照）。
【特許文献１】特開２００６−１８３２０６号公報（図１）
【発明の開示】
【発明が解決しようとする課題】
【０００４】
上述したとおりの形態の従来の油圧ショベルには、次のとおりの改善の望まれている課題がある。
【０００５】
すなわち、作業装置に作動油を供給するには、機体本体から作動油給排用に少なくとも２本の専用の油圧配管を、作業腕に沿って先端部まで設置しなければならない。また、作動油の給排を制御するための切換弁も必要である。したがって、作業装置用の油圧配管の設置には、部品コスト、組立コストなど、多くのコストがかかる。
【０００６】
本発明は上記事実に鑑みてなされたもので、その技術的課題は、作業腕の先端に取付ける作業装置に作動油を、簡単な部品構成および容易な組立で供給することができる油圧ショベルを提供することである。
【課題を解決するための手段】
【０００７】
本発明によれば上記技術的課題を解決する油圧ショベルとして、作業腕の先端に取付けられる作業装置を揺動作動させる油圧シリンダと、この油圧シリンダに接続された作動油給排用の一対の油圧ホースと、油圧シリンダの近傍に取付けられた一対の油圧配管と、を備え、該油圧配管の各々が、一端に上記の一対の油圧ホースを油圧シリンダから外して接続することができる接続部を備え、作業腕の先端に向けて延びた他端に作動油給排用の接続部を備えている、ことを特徴とする油圧ショベルが提供される。
【発明の効果】
【０００８】
本発明に従って構成された油圧ショベルは、標準的に装備されている油圧シリンダの近傍に一対の油圧配管を備え、この油圧配管それぞれの一端に油圧シリンダから外した油圧ホースを接続できる接続部を備え、作業腕の先端に向けて延びた他端に作動油給排用の接続部を備えているので、作業腕の先端に、上記の油圧シリンダによる揺動作動が不要な作業装置を取付ける際には、一対の油圧配管に油圧シリンダから外した油圧ホースをそれぞれ接続することにより、油圧シリンダ用の作動油を作業装置用の作動油として利用することができる。また、油圧リンダに作動油を給排する制御弁を、作業装置用の制御弁として利用することができる。
【０００９】
したがって、油圧源から作業腕に沿って作動油供給用の専用の配管を取付けることなく、簡単な部品構成および容易な組立で、作業装置に作動油を供給することができる。
【発明を実施するための最良の形態】
【００１０】
以下、本発明に従って構成された油圧ショベルについて、好適実施形態を図示している添付図面を参照して、さらに詳細に説明する。
【００１１】
図２を参照して説明する。全体を番号２で示す油圧ショベルは、下部走行体４と、下部走行体４上に旋回自在に取付けられた上部旋回体６を備え、上部旋回体６には運転席８およびその前端に作業腕１０が具備されている。作業腕１０の先端には、軸線Ｘ上に種々の作業装置が作業の形態に応じて取付けられる。図示の例においては、バケット１２が軸線Ｘを中心に揺動自在に取付けられている。
【００１２】
作業腕１０は、上部旋回体６に上下方向に揺動自在に取付けられたブーム１４と、ブーム１４の先端に上下方向に揺動自在に取付けられたアーム１６と、上部旋回体６とブーム１４の間に取付けられたブーム作動シリンダ１８と、ブーム１４とアーム１６の間に取付けられたブーム作動シリンダ２０を備えている。
【００１３】
作業腕１０はまた、アーム１６の先端に取付けられた作業装置であるバケット１２を揺動作動させる油圧シリンダとしてのバケット作動シリンダ２２を備えている。
【００１４】
作業腕１０の先端部分の拡大詳細図である図１を参照して説明する。バケット作動シリンダ２２には作動油給排用の一対の油圧ホース２４ａ、２４ｂが接続されている。バケット作動シリンダ２２の近傍の、アーム１６の側面には一対の油圧配管２６ａ、２６ｂが取付けられている。
【００１５】
油圧ホース２４ａ、２４ｂそれぞれの一端側は、上部旋回体６（図２）の油圧源に備えたバケット作動シンダ制御弁に接続され、他端側は、バケット作動シリンダ２２のロッド側配管２８ａおよびヘッド側配管２８ｂにそれぞれ接続されている。
【００１６】
油圧配管２６ａ、２６ｂは、鋼管を曲げ成形し、両端部に接続継手を取付けて形成されている。油圧配管２６ａ、２６ｂは、クランプ３０およびボルト３１によって複数個所がアーム１６の側面に固定されている。油圧配管２６ａ、２６ｂは、それぞれの一端に油圧ホース２４ａ、２４ｂを油圧シリンダから外して接続することができる接続継手によって形成された接続部Ａ１、Ａ２を備え、アーム１６の先端に向けて延びた他端に作動油給排用の接続継手によって形成された接続部Ｂ１、Ｂ２を備えている。
【００１７】
一対の油圧配管２６ａ、２６ｂは、バケット作動シリンダ２２の作動と干渉しない位置に設置されている。接続部Ｂ１、Ｂ２には、それぞれ保護キャップ２９が取付けられている。保護キャップ２９を外した接続部Ｂ１、Ｂ２に、アーム１６の先端に取付けられた作業装置から延びる油圧ホースが接続される。
【００１８】
作業腕１０（アーム１６）の先端に軸線Ｘを中心に取付けられる揺動作動不要な作業装置の代表例としては、例えば図３に示す、フェラーバンチャ３２、グラブバケット３４、把持装置３６などがある。フェラーバンチャ３２は、油圧アクチュエータによって伐採した木材の枝払い・玉切りを行う。グラブバケット３４は、油圧アクチュエータによって一対のバケットの下方の開口を二枚貝のように開閉する。把持装置３６は、油圧アクチュエータによって一対のクランプを開閉しスクラップ材などを把持する。
【００１９】
主として図１を参照して、上述したとおりの油圧ショベル２の作用効果について説明する。
【００２０】
油圧ショベル２は、作業装置１２を揺動作動させる標準的に装備されている油圧シリンダ２２の近傍に一対の油圧配管２６ａ、２６ｂを備え、この油圧配管２６ａ、２６ｂの一端それぞれに油圧シリンダ２２から外した油圧ホース２４ａ、２４ｂ（二点鎖線で示す）を接続できる接続部Ａ１、Ａ２と、作業腕１６の先端に向けて延びた他端に作動油給排用の接続部Ｂ１、Ｂ２を備えている。
【００２１】
そして、作業腕１０（アーム１６）の先端に、揺動作動が必要な、例えばバケット１２のような作業装置に代えて、揺動作動が不要な、例えばフェラーバンチャ３２，グラブバケット３４，把持装置３６などのような作業装置を取付ける際には、一対の油圧配管２６ａ、２６ｂに油圧シリンダから外した油圧ホース２４ａ、２４ｂをそれぞれ取付けることにより、油圧シリンダ２２用の作動油を作業装置３２，３４，３６などの作動油として利用することができる。また、油圧リンダへ２２の作動油の制御弁を作業装置３２，３４，３６などへの作動油の制御弁として利用することができる。
【００２２】
したがって、標準的に装備されている油圧シリンダ２２の近傍に一対の油圧配管２６ａ、２６ｂを備え、油圧ホース２４ａ、２４ｂの接続を変えればよいので、油圧源から作業腕に沿った専用の配管、制御弁などの取付けが不要であり、簡単な部品構成および容易な組立で、作業腕の先端に取付ける作業装置に作動油を供給することができる。
【００２３】
揺動作動が不要な作業装置３２，３４，３６などに代えて、揺動作動が必要なバケット１２のような作業装置を取付ける際には、油圧ホース２４ａ、２４ｂを油圧配管２６ａ、２６ｂの接続部Ａ１、Ａ２から外し、油圧シリンダ２２に取付ければよい。
【００２４】
したがって、簡単な部品構成および容易な組立で、油圧ショベルの汎用性をより一層高めることができる。
【図面の簡単な説明】
【００２５】
【図１】本発明に従って構成された油圧ショベルの作業腕の先端部分の拡大詳細図。
【図２】作業装置としてのバケットが取付けられた油圧ショベルの側面図。
【図３】揺動作動が不要な作業装置の代表例を示した図。
【符号の説明】
【００２６】
２：油圧ショベル
１０：作業腕
１６：アーム（作業腕）
１２：バケット（作業装置）
２２：バケット作動シリンダ（油圧シリンダ）
２４ａ、２４ｂ：油圧ホース
２６ａ、２６ｂ：油圧配管
３２：フェラーバンチャ（作業装置）
３４：グラブバケット（作業装置）
３６：把持装置（作業装置）
Ａ１、Ａ２：接続部
Ｂ１、Ｂ２：接続部
【図１】
2009209538.tif 000003
【図２】
2009209538.tif 000004
【図３】
2009209538.tif 000005